(57)【要約】【課題】鍋等の保温具において鍋等の側面と保温具の胴部との間に少しの隙間を設けながら上方への熱の移動を抑制することを課題とする。【解決手段】リング形状にして鍋などの保温対象となる容器の側面を包む、保温性を有する帯体からなる胴部保温部１０と、前記容器の下面に敷かれる保温性を有する板体からなる底部保温部２０と、前記容器の上面を覆う保温性を有する蓋体からなる上部保温部３０とを有する保温具において、前記胴部保温部１０の内周面を構成する面の上縁側に、周方向に沿って設けられる襞からなる上部熱遮断部１０Ａを形成する。【選択図】  図２
2010172517.tif 000002
【特許請求の範囲】
【請求項１】
リング形状にして鍋などの保温対象となる容器の側面を包む、保温性を有する帯体からなる胴部保温部と、
前記容器の下面に敷かれる保温性を有する板体からなる底部保温部と、
前記容器の上面を覆う保温性を有する蓋体からなる上部保温部とを有する保温具であって、
前記胴部保温部の内周面を構成する面の上縁側に、周方向に沿って設けられる襞からなる上部熱遮断部が形成される保温具。
【請求項２】
前記胴部保温部は前記リング形状となった際に周長を変更して固定することができる周長調整部を有する請求項１に記載の保温具。
【請求項３】
前記胴部保温部の内周面を構成する下縁側に、周方向に沿って設けられる襞からなる下部熱遮断部が形成される請求項１又は２に記載の保温具。
【請求項４】
前記胴部保温部の内周面を構成する面はアルミシート又はアルミがコーティングされた布地により形成される請求項１から３のいずれか１項に記載の保温具。
【発明の詳細な説明】
【技術分野】
【０００１】
本発明は鍋などの外周を包んで熱が逃げないように保温する用具に関する。
【背景技術】
【０００２】
鍋などで料理を加熱調理した際に、これを保温するために、保温性のあるキルト地などで鍋の外周を覆って保温する器具が種々提案されている。例えば、下記特許文献１や非特許文献１には、鍋の側面を覆う帯状の胴部と、底面を覆う円形の底部と、上部を覆う蓋部とから構成される保温具が示されている。これらの保温具が有するような鍋の胴部を外周面に沿って覆う構造は、
均等に鍋の側面を覆うことができ、材質などが適当であるならば、むらなく鍋等を保温することができる。
【先行技術文献】
【特許文献】
【０００３】
【特許文献１】実用新案登録第３０７５５０４号公報  図６
【非特許文献】
【０００４】
【非特許文献１】意匠登録第１３２８５９５号公報
【発明の概要】
【発明が解決しようとする課題】
【０００５】
ところで、上記のような形状の保温具において胴部を完全に鍋に密着させると保温具に熱が伝導してしまうので、少しの隙間を空けることが望ましい。一方、鍋の蓋の形状は複雑で一定でないことから保温具の蓋部は、上記の特許文献１や非特許文献１に示すように鍋の蓋の上方を有る程度の隙間を持って覆うドーム型とするか、胴部の高さを鍋の蓋の位置よりも高くして、板状とするかのいずれかのものが採用される。即ち、鍋の上部には有る程度の隙間が形成されることとなり、保温具の胴部と鍋との間に隙間を設けると、鍋の側面側の暖められた空気が側面の隙間から鍋の上部の空間に逃げやすいという問題が生じる。
本発明は、このような問題に鑑み、鍋等の保温具において鍋等の側面と保温具の胴部との間に少しの隙間を設けながら上方への熱の移動を抑制することを課題とする。
【課題を解決するための手段】
【０００６】
上記課題を解決するために、本発明は次のような構成を有する。
請求項１に記載の発明は、リング形状にして鍋などの保温対象となる容器の側面を包む、保温性を有する帯体からなる胴部保温部と、前記容器の下面に敷かれる保温性を有する板体からなる底部保温部と、前記容器の上面を覆う保温性を有する蓋体からなる上部保温部とを有する保温具であり、前記胴部保温部の内周面を構成する面の上縁側に、周方向に沿って設けられる襞からなる上部熱遮断部が形成されるものである。
請求項２に記載の発明は、前記保温具において、前記胴部保温部は前記リング形状となった際に周長を変更して固定することができる周長調整部を有するものである。
請求項３に記載の発明は、前記保温具において、前記胴部保温部の内周面を構成する下縁側に、周方向に沿って設けられる襞からなる下部熱遮断部が形成されるものである。
請求項４に記載の発明は、前記保温具において、前記胴部保温部の内周面を構成する面はアルミシート又はアルミがコーティングされた布地により形成されるものである。
【発明の効果】
【０００７】
請求項１に記載の発明は、保温対象となる容器の側面を胴部保温部で覆う際に、上部熱遮断部が容器の側面上部の外周に渡って接触するようにし、胴部保温部の他の内周面と容器側面とは少しの隙間が空くようにすることで、容器側面からの熱伝導は上部熱遮断部へのものに限定でき、また、容器側面と胴部保温部との間の隙間に溜まる熱せられた空気は上部熱遮断部により上方への対流が抑えられるので、上方への熱移動を抑制することができる。
請求項２に記載の発明は、胴部保温部の周長を変えることができるので、保温対象となる容器の周長が異なる複数の容器に対して柔軟に対応することができる。
請求項３に記載の発明は、胴部保温部と保温対象となる容器側面との下部の隙間を下部熱遮断部で埋めることで、容器側面と胴部保温部との間の隙間に溜まる熱せられた空気が膨張により下方へ移動することを抑制することができる。
請求項４に記載の発明は、前記胴部保温部の内周面を構成する面はアルミシート又はアルミがコーティングされた布地により形成することで、鍋の側面からの輻射熱を反射させて輻射熱が胴部保温部内部へ伝わることを抑制することができる。
【図面の簡単な説明】
【０００８】
【図１】実施形態に係る保温具の正面図である。
【図２】実施形態に係る保温具の縦断面図である。
【図３】実施形態に係る保温具の横断面図である。
【図４】図３のＣ−Ｃ断面図である。
【図５】（ａ）は実施形態に係る保温具の上部熱遮断部の断面図であり、（ｂ）は上部熱遮断部の変形例を示す断面図である。
【発明を実施するための形態】
【０００９】
以下、本発明の実施の形態について、図面を参照しながら説明する。
図１に本実施形態に係る保温具Ｘの正面図を示し、図２に保温具Ｘの縦断面図を示し、図３に保温具Ｘの横断面図を示す。保温具Ｘは、胴部保温部１０、底部保温部２０、上部保温部３０とから構成される。
胴部保温部１０は、帯状体に形成されたキルトをリング状に丸めたものであり、端部同士の下端側で布ベルト１３の両端がそれぞれ縫いつけられ、端部同士が連結されている。また、胴部保温部１０の一端の上端側には、調節ベルト１１の一端が縫いつけられ、胴部保温部１０の他端側の外側面に面ファスナーの被係合部からなる調節ベルト固定部１２が縫い受けられている。調節ベルト１１の縫いつけられていない開放端の内側には面ファスナーの係合部が縫いつけられており、この部分が調節ベルト固定部部１２に固定できるようになっている。つまり、調節ベルト１１の開放端の固定位置は任意に調節でき、これにより、リング状となった胴部保温部１０の周長を変更することができる。また、胴部保温部１０の外周面には相対する位置に２カ所、面ファスナーの被係合部からなる上部保温部固定部１４、１４が設けられている。
【００１０】
図４に図３のＣ−Ｃ拡大断面図を示す。この断面図は図３の矢印Ｃが示すように断面をやや斜めから見た図であり、便宜上、布の部分を厚く表現している。胴部保温部１０を構成するキルトは、外側部１０２にコットン製の布地を用いているが、内側部１０１にはアルミがコーティングされた布地が用いられている。そして、内側部１０１の上端側および下端側には内側に突出するように襞からなる上部熱遮断部１０Ａ、下部熱遮断部１０Ｂが形成されている。上部熱遮断部１０Ａ、下部熱遮断部１０Ｂを構成する襞は、内側部１０１を構成する布をループ状に突出させて根本部分を縫い止めたものである。胴部保温部１０は、外側部１０２と内側部１０１とから構成される扁平な筒体内に綿からなる詰め物１０３を詰めて封入し、縫い止めることで帯状のキルトとしたものである。また、キルトを形成する際に上部熱遮断部１０Ａを構成する襞は下側を向くようにし、下部熱遮断部１０Ｂを構成する襞は上側を向くようにして数カ所、縫い目１０ｓで縫い止めている。なお、図２の二点鎖線は縫い目を表している。
【００１１】
底部保温部２０は胴部保温部１０が形成するリングの外径よりも大きな円板状に形成されたキルトにより形成される。上部保温部３０は、胴部保温部１０が形成するリングの上面を覆うことができる外径を有する笠状に形成されたキルトにより形成される。上部保温部３０の内側外縁近傍の相対する２カ所には、布ベルトからなる固定ベルト３１、３１が下垂するように固定されており、固定ベルト３１の内側面には面ファスナーの係合部が固定されている。この固定ベルト３１の面ファスナーの係合部を、胴部保温部１０の外周面に設けられている上部保温部固定部１４に係合させることで、上部保温部３０を胴部保温部１０に固定することができる。また、上部保温部３０の頂点部分には持ち手となる紐３２が固定されている。
【００１２】
次に、以上のような、構成を有する保温具Ｘの使用方法および作用効果について説明する。まず、使用者は、保温する鍋等の円筒形状を有する保温対象物を底部保温部２０のほぼ中央に乗せ、次に、胴部保温部１０を保温対象物の外周に被せる。ここで、胴部保温部１０の調節ベルトの固定位置を調節し、保温対象物の外周面に、上部熱遮断部１０Ａおよび下部熱遮断部１０Ｂが接触するように胴部保温部１０の内径を調節する。次に、上部保温部３０を胴部保温部１０の上部開口を塞ぐように被せ、上部保温部３０の固定ベルト３１を胴部保温部１０の上部保温部１４に固定する。以上で、保温具Ｘの保温対象物に対するセッティングが完了する。この状態で、胴部保温部１０の内面は上部熱遮断部１０Ａ及び下部襞部１０Ｂのみが保温対象物に触れ、その他の部分は保温対象物に触れていない状態となる。これにより、保温対象物からの熱が胴部保温部１０に熱伝導で伝わる量を抑制することができ、さらに、保温対象物と胴部保温部１０との隙間に存する暖められた空気に関して、上部襞部１０Ａにより当該空気が上部に逃げることが抑制され、下部襞部１０Ｂにより当該空気が下部に逃げることが抑制される。このような作用により、熱伝導と対流による熱の放出が抑制でき、より保温効果を高めることができる。
【００１３】
なお、上記実施形態では、上部熱遮断部１０Ａ、下部熱遮断部１０Ｂを形成する際に、布を図５（ａ）のように襞を構成するループの根元で接する布同士を縫うことで固定し、数カ所を縫い目１０ｓで一方向を向くように縫い止めているが、図５（ｂ）のようにループの根元部分で一方向に向かうように３重にした状態で縫うことで、方向を固定するようにしてもよい。
【符号の説明】
【００１４】
X    保温具
１０  胴部保温部
１０Ａ  上部襞部
１０Ｂ  下部襞部
１０１  内側部
１０２  外側部
１１  調節ベルト
１２  調節ベルト固定部
２０  底部保温部
３０  上部保温部
【図１】
2010172517.tif 000003
【図２】
2010172517.tif 000004
【図３】
2010172517.tif 000005
【図４】
2010172517.tif 000006
【図５】
2010172517.tif 000007